Podtech/llm-jp-corpus-v4-ja_patent huggingface dataset:
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
シートを保持するシート保持手段と、
前記シート保持手段から給紙されたシートに印刷処理を実行する印刷手段と、
前記印刷処理が実行されたシートを読み取って検品画像データを生成する読取手段と、
前記検品画像データに基づいて検品処理を実行する検品手段と、
前記検品処理の実行に要する検品処理時間に基づいて、前記シート保持手段からシートを給紙するタイミングを制御する制御手段と、
を備えることを特徴とする印刷システム。
【請求項２】
前記検品処理時間は、前記検品処理に関する検品項目に基づいて決定することを特徴とする請求項１に記載の印刷システム。
【請求項３】
シートを保持するシート保持手段と、
前記シート保持手段から給紙されたシートに印刷処理を実行する印刷手段と、
前記印刷処理が実行されたシートを読み取って検品画像データを生成する読取手段と、
前記検品画像データに基づいて検品処理を実行する検品手段と、
前記検品処理に関する検品項目に基づいて、前記シート保持手段からシートを給紙するタイミングを制御する制御手段と、
を備えることを特徴とする印刷システム。
【請求項４】
前記検品項目は、前記検品処理の対象を示すことを特徴とする請求項２又は３に記載の印刷システム。
【請求項５】
前記検品項目は、前記検品処理がカラーモードであるか、又はモノクロモードであるかを示すことを特徴とする請求項２又は３に記載の印刷システム。
【請求項６】
前記検品項目は、前記読取手段がシートを読み取るときの読取解像度を示すことを特徴とする請求項２又は３に記載の印刷システム。
【請求項７】
前記検品項目をユーザの指定に基づいて設定する設定手段を更に備えることを特徴とする請求項２乃至６のいずれか１項に記載の印刷システム。
【請求項８】
前記シート保持手段からシートを給紙する給紙手段を更に備え、
前記制御手段は、前記給紙手段が前記シート保持手段からシートを給紙するタイミングを制御することを特徴とする請求項１乃至７のいずれか１項に記載の印刷システム。
【請求項９】
前記印刷手段は、印刷画像データに基づいて前記印刷処理を実行し、
前記検品手段は、前記印刷画像データと前記検品画像データに基づいて前記検品処理を実行することを特徴とする請求項１乃至８のいずれか１項に記載の印刷システム。
【請求項１０】
前記検品処理は、前記印刷処理によって印刷不良が発生しているか否かを判定するための処理であることを特徴とする請求項１乃至９のいずれか１項に記載の印刷システム。
【請求項１１】
シートを保持するシート保持手段を備える印刷システムの制御方法であって、
前記シート保持手段から給紙されたシートに印刷処理を実行する印刷ステップと、
前記印刷処理が実行されたシートを読み取って検品画像データを生成する読取ステップと、
前記検品画像データに基づいて検品処理を実行する検品ステップと、
前記検品処理の実行に要する検品処理時間に基づいて、前記シート保持手段からシートを給紙するタイミングを制御する制御ステップと、
を有することを特徴とする印刷システムの制御方法。
【請求項１２】
シートを保持するシート保持手段を備える印刷システムの制御方法であって、
前記シート保持手段から給紙されたシートに印刷処理を実行する印刷ステップと、
前記印刷処理が実行されたシートを読み取って検品画像データを生成する読取ステップと、
前記検品画像データに基づいて検品処理を実行する検品ステップと、
前記検品処理に関する検品項目に基づいて、前記シート保持手段からシートを給紙するタイミングを制御する制御ステップと、
を有することを特徴とする印刷システムの制御方法。
【請求項１３】
請求項１１又は１２に記載の印刷システムの制御方法をコンピュータに実行させるためのプログラム。
【手続補正２】
【補正対象書類名】明細書
【補正対象項目名】発明の名称
【補正方法】変更
【補正の内容】
【発明の名称】印刷システム、印刷システムの制御方法、及び、プログラム
【手続補正３】
【補正対象書類名】明細書
【補正対象項目名】０００１
【補正方法】変更
【補正の内容】
【０００１】
本発明は、印刷システム、印刷システムの制御方法、及び、プログラムに関するものである。
【手続補正４】
【補正対象書類名】明細書
【補正対象項目名】０００８
【補正方法】変更
【補正の内容】
【０００８】
本発明の印刷システムは、シートを保持するシート保持手段と、前記シート保持手段から給紙されたシートに印刷処理を実行する印刷手段と、前記印刷処理が実行されたシートを読み取って検品画像データを生成する読取手段と、前記検品画像データに基づいて検品処理を実行する検品手段と、前記検品処理の実行に要する検品処理時間に基づいて、前記シート保持手段からシートを給紙するタイミングを制御する制御手段と、を備えることを特徴とする。
また、本発明の印刷システムは、シートを保持するシート保持手段と、前記シート保持手段から給紙されたシートに印刷処理を実行する印刷手段と、前記印刷処理が実行されたシートを読み取って検品画像データを生成する読取手段と、前記検品画像データに基づいて検品処理を実行する検品手段と、前記検品処理に関する検品項目に基づいて、前記シート保持手段からシートを給紙するタイミングを制御する制御手段と、を備えることを特徴とする。
【手続補正書】
【提出日】平成25年7月3日(2013.7.3)
【手続補正１】
【補正対象書類名】明細書
【補正対象項目名】００４５
【補正方法】変更
【補正の内容】
【００４５】
放電灯点灯装置１０は、電力制御回路２０を含む。電力制御回路２０は、放電灯９０に供給する駆動電力を生成する。本実施形態においては、電力制御回路２０は、直流電源装置８０を入力とし、当該入力電圧を降圧して直流電流Ｉｄを出力するダウンチョッパー回路で構成されている。
【手続補正２】
【補正対象書類名】明細書
【補正対象項目名】００４６
【補正方法】変更
【補正の内容】
【００４６】
電力制御回路２０は、スイッチ素子２１、ダイオード２２、コイル２３及びコンデンサー２４を含んで構成されることができる。スイッチ素子２１は、例えばトランジスターで構成することができる。本実施形態においては、スイッチ素子２１の一端は直流電源装置８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源装置８０の負電圧側に接続されている。スイッチ素子２１の制御端子には制御部４０（後述）から電流制御信号が入力されてスイッチ素子２１のＯＮ／ＯＦＦが制御される。電流制御信号には、例えばＰＷＭ（Pulse Width Modulation）制御信号が用いられてもよい。
【手続補正３】
【補正対象書類名】明細書
【補正対象項目名】００６５
【補正方法】変更
【補正の内容】
【００６５】
１−４．駆動電流の極性と電極の温度との関係
図６（Ａ）ないし図６（Ｄ）は、放電灯９０に供給する駆動電流Ｉの極性と電極の温度との関係を示す説明図である。図６（Ａ）及び図６（Ｂ）は、第１電極９２及び第２電極
９３の動作状態を示している。図中には、第１電極９２及び第２電極９３の先端部分が示されている。第１電極９２及び第２電極９３の先端にはそれぞれ突起５５２ｐ、５６２ｐが設けられている。第１電極９２と第２電極９３の間で生じる放電は、主として突起５５２ｐと突起５６２ｐとの間で生じる。本実施形態では、突起が無い場合と比べて、第１電極９２及び第２電極９３における放電位置（アーク位置）の移動を抑えることができる。ただし、このような突起を省略してもよい。
【手続補正４】
【補正対象書類名】明細書
【補正対象項目名】００８０
【補正方法】変更
【補正の内容】
【００８０】
左シャッター４１４は、左目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、左シャッター４１４は、時刻ｔ４から時刻ｔ６までの間では閉じた状態であり、時刻ｔ６から時刻ｔ７までの間は開いた状態である。また、図７に示される例では、右目用映像に対応する駆動信号５７２Ｒ，５７２Ｇ，５７２Ｂが液晶パネル５６０Ｒ，５６０Ｇ，５６０Ｂに入力されている期間において、左シャッター４１４は、時刻ｔ１から閉じ始め、時刻ｔ１と時刻ｔ２との間で閉じ終わり、時刻ｔ２から時刻ｔ４までの間は閉じた状態である。時刻ｔ７から時刻ｔ１０までの間における左シャッター４１４の開閉状態の変化は、時刻ｔ１から時刻ｔ４までの間の開閉状態の変化と同様である。
【手続補正５】
【補正対象書類名】明細書
【補正対象項目名】０１０４
【補正方法】変更
【補正の内容】
【０１０４】
図１０に示される例では、駆動電流Ｉは、時刻ｔ１から時刻ｔ３までの間の第１期間では正極性の直流電流、時刻ｔ４から時刻ｔ６までの間の第１期間では負極性の直流電流となっている。すなわち、時間的に１つの第２期間（例えば、時刻ｔ３から時刻ｔ４までの間の第２期間）を挟む２つの第１期間（例えば、時刻ｔ１から時刻ｔ３までの間の第１期間と、時刻ｔ４から時刻ｔ６までの間の第１期間）では、駆動電流Ｉとして互いに逆極性となる直流電流を放電灯９０に供給させるように、制御部４０が放電灯駆動部２３０を制御している。
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
画像間のずれを補正して複数の画像を合成することにより合成画像を出力する合成手段を備える画像処理装置であって、
前記複数の画像を取得する取得手段と、
前記取得手段により取得された前記複数の画像のうち、１つの画像を基準画像として設定する設定手段と、
前記複数の画像が、前記基準画像を除く前記複数の画像の少なくともいずれかと前記基準画像とを合成する条件を満たすか否かを判断する判断手段と、
前記判断手段により前記複数の画像が前記合成する条件を満たさないと判断された場合に、前記複数の画像のうちの１つの画像に対して平滑化処理を適用して得られた画像を前記合成画像の代わりに出力する平滑化手段と、を備える
ことを特徴とする画像処理装置。
【請求項２】
前記基準画像を除く前記複数の画像のそれぞれについて、前記基準画像に対する動きベクトルを検出する検出手段をさらに備え、
前記判断手段は、前記合成する条件の判断を、前記基準画像を除く前記複数の画像のそれぞれについて、前記検出手段により検出された動きベクトルが予め定められた条件を満たすか否かを判定することにより行う
ことを特徴とする請求項１に記載の画像処理装置。
【請求項３】
前記判断手段は、前記検出手段により検出された動きベクトルのスカラ量と、前記基準画像と合成するための画像のずれの限界を表す閾値とを比較し、前記基準画像を除く前記複数の画像のいずれかまたは全ての前記動きベクトルのスカラ量が前記閾値以下である場合に、前記動きベクトルが前記予め定められた条件を満たすと判定することを特徴とする請求項２に記載の画像処理装置。
【請求項４】
前記複数の画像のそれぞれについてエッジを抽出するエッジ抽出手段をさらに備え、
前記検出手段は、前記エッジ抽出手段により抽出された前記複数の画像のそれぞれの前記エッジを用いて前記動きベクトルを検出する
ことを特徴とする請求項２または３に記載の画像処理装置。
【請求項５】
前記判断手段は、前記エッジ抽出手段により抽出された前記基準画像における前記エッジの信号レベルの総和が予め定められた値に満たない場合、前記合成する条件を満たさないと判断することを特徴とする請求項４に記載の画像処理装置。
【請求項６】
前記合成手段により前記合成画像が生成された場合に、当該合成画像に対してエッジ強調処理を適用して得られた画像を出力するエッジ強調手段をさらに備えることを特徴とする請求項１乃至５のいずれか１項に記載の画像処理装置。
【請求項７】
前記取得手段により取得された前記複数の画像にノイズリダクション処理を適用するノイズリダクション手段をさらに備え、
前記合成手段は、前記ノイズリダクション処理が適用された複数の画像を合成することにより前記合成画像を生成し、
前記平滑化手段は、前記ノイズリダクション処理が適用された複数の画像のうちの１つの画像に対して平滑化処理を適用することを特徴とする請求項１乃至６のいずれか１項に記載の画像処理装置。
【請求項８】
前記取得手段は、１回の撮影指示に応じて撮影された複数の画像を取得する第１のモードと、１回の撮影指示に応じて撮影された１つの画像を取得する第２のモードと、を有し、
前記平滑化手段は、前記第２のモードで取得された前記１つの画像に対して平滑化処理を適用して出力し、
前記取得手段が前記第１のモードにある場合に前記平滑化手段により適用される平滑化処理は、前記取得手段が前記第２のモードにある場合に前記１つの画像に対して適用される平滑化処理よりも適用レベルが高い
ことを特徴とする請求項１乃至７のいずれか１項に記載の画像処理装置。
【請求項９】
画像間のずれを補正して複数の画像を合成することにより合成画像を出力する合成手段を備える画像処理装置の制御方法であって、
取得手段が、前記複数の画像を取得する取得工程と、
設定手段が、前記取得工程において取得された前記複数の画像のうち、１つの画像を基準画像として設定する設定工程と、
判断手段が、前記複数の画像が、前記基準画像を除く前記複数の画像の少なくともいずれかと前記基準画像とを合成する条件を満たすか否かを判断する判断工程と、
平滑化手段が、前記判断工程において前記合成する条件を満たさないと判断された場合に、前記複数の画像のうちの１つの画像に対して平滑化処理を適用して得られた画像を前記合成画像の代わりに出力する平滑化工程と、を備えることを特徴とする画像処理装置の制御方法。
【請求項１０】
コンピュータを、請求項１乃至８のいずれか１項に記載の画像処理装置の各手段として機能させるためのプログラム。
【手続補正２】
【補正対象書類名】明細書
【補正対象項目名】００１０
【補正方法】変更
【補正の内容】
【００１０】
前述の目的を達成するために、本発明の画像処理装置は、以下の構成を備える。
画像間のずれを補正して複数の画像を合成することにより合成画像を出力する合成手段を備える画像処理装置であって、複数の画像を取得する取得手段と、取得手段により取得された複数の画像のうち、１つの画像を基準画像として設定する設定手段と、複数の画像が、基準画像を除く複数の画像の少なくともいずれかと基準画像とを合成する条件を満たすか否かを判断する判断手段と、判断手段により複数の画像が合成する条件を満たさないと判断された場合に、複数の画像のうちの１つの画像に対して平滑化処理を適用して得られた画像を合成画像の代わりに出力する平滑化手段と、を備えることを特徴とする。
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
送信される無線周波数信号について所定の測定対象区間を所定間隔でサンプリングして送信パワーを測定する送信パワー測定装置において、
前記測定対象区間の開始点を基準に相対的に見たときに、各測定対象区間内であって前記測定対象区間よりも短く設定されたサンプリング区間のサンプリング開始点が、前回のサンプリング開始点の次のサンプリング点から前記前回のサンプリング終了点の次のサンプリング点までのいずれかの点であるサンプリング手段と、
前記サンプリングされたサンプリング値を前記各測定対象区間におけるサンプリング点数で平均化した平均値を複数の前記測定対象区間に亘って平均化した値を前記送信パワーとして出力する平均化手段とを備え、
前記サンプリング手段は、前記サンプリング区間で処理を実行するアクティブモードになり、前記サンプリング区間以外で前記アクティブモードより低消費電力のスリープモードになる
ことを特徴とする送信パワー測定装置。
【請求項２】
前記サンプリング手段は、前記各測定対象区間のサンプリング開始点を前記各測定対象区間の前の前記測定対象区間におけるサンプリング区間分シフトさせることを特徴とする、請求項１記載の送信パワー測定装置。
【請求項３】
前記サンプリング手段は、前記各測定対象区間のサンプリング開始点を前記各測定対象区間の前の前記測定対象区間におけるサンプリング開始点から１サンプリング周期シフトさせることを特徴とする、請求項１記載の送信パワー測定装置。
【請求項４】
前記サンプリング手段は、前記サンプリング区間における前記無線周波数信号を電圧値に変換するパワー検出部を有し、前記パワー検出部から取得する前記電圧値に対して前記サンプリングを行うことを特徴とする、請求項１〜３のいずれか１項に記載の送信パワー測定装置。
【請求項５】
無線周波数信号を送信する無線部と、
前記無線部から送信される前記無線周波数信号について所定の測定対象区間を所定間隔でサンプリングして送信パワーを測定する送信パワー測定装置とを備えた無線送信装置であって、
前記送信パワー測定装置は、
前記測定対象区間の開始点を基準に相対的に見たときに、各測定対象区間内であって前記測定対象区間よりも短く設定されたサンプリング区間のサンプリング開始点が、前回のサンプリング開始点の次のサンプリング点から前記前回のサンプリング終了点の次のサンプリング点までのいずれかの点であるサンプリング手段と、
前記サンプリングされたサンプリング値を前記各測定対象区間におけるサンプリング点数で平均化した平均値を複数の前記測定対象区間に亘って平均化した値を前記送信パワーとして出力する平均化手段とを備え、
前記サンプリング手段は、前記サンプリング区間で処理を実行するアクティブモードになり、前記サンプリング区間以外で前記アクティブモードより低消費電力のスリープモードになる
ことを特徴とする無線送信装置。
【手続補正２】
【補正対象書類名】明細書
【補正対象項目名】発明の名称
【補正方法】変更
【補正の内容】
【発明の名称】送信パワー測定装置、及び、無線送信装置
【手続補正３】
【補正対象書類名】明細書
【補正対象項目名】００２３
【補正方法】変更
【補正の内容】
【００２３】
本発明の送信パワー測定装置は、送信される無線周波数信号について所定の測定対象区間を所定間隔でサンプリングして送信パワーを測定する送信パワー測定装置において、前記測定対象区間の開始点を基準に相対的に見たときに、各測定対象区間内であって前記測定対象区間よりも短く設定されたサンプリング区間のサンプリング開始点が、前回のサンプリング開始点の次のサンプリング点から前記前回のサンプリング終了点の次のサンプリング点までのいずれかの点であるサンプリング手段と、前記サンプリングされたサンプリング値を前記各測定対象区間におけるサンプリング点数で平均化した平均値を複数の前記測定対象区間に亘って平均化した値を前記送信パワーとして出力する平均化手段とを備え、前記サンプリング手段は、前記サンプリング区間で処理を実行するアクティブモードになり、前記サンプリング区間以外で前記アクティブモードより低消費電力のスリープモードになることを特徴とする。
なお、前記サンプリング手段は、前記各測定対象区間のサンプリング開始点を前記各測定対象区間の前の前記測定対象区間におけるサンプリング区間分シフトさせることが好ましい。
また、前記サンプリング手段は、前記各測定対象区間のサンプリング開始点を前記各測定対象区間の前の前記測定対象区間におけるサンプリング開始点から１サンプリング周期シフトさせることが好ましい。
さらに、前記サンプリング手段は、前記サンプリング区間における前記無線周波数信号を電圧値に変換するパワー検出部を有し、前記パワー検出部から取得する前記電圧値に対して前記サンプリングを行うことが好ましい。
また、本発明の無線送信装置は、無線周波数信号を送信する無線部と、前記無線部から送信される前記無線周波数信号について所定の測定対象区間を所定間隔でサンプリングして送信パワーを測定する送信パワー測定装置とを備え、前記送信パワー測定装置は、前記測定対象区間の開始点を基準に相対的に見たときに、各測定対象区間内であって前記測定対象区間よりも短く設定されたサンプリング区間のサンプリング開始点が、前回のサンプリング開始点の次のサンプリング点から前記前回のサンプリング終了点の次のサンプリング点までのいずれかの点であるサンプリング手段と、前記サンプリングされたサンプリング値を前記各測定対象区間におけるサンプリング点数で平均化した平均値を複数の前記測定対象区間に亘って平均化した値を前記送信パワーとして出力する平均化手段とを備え、前記サンプリング手段は、前記サンプリング区間で処理を実行するアクティブモードになり、前記サンプリング区間以外で前記アクティブモードより低消費電力のスリープモードになることを特徴とする。
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
読取位置を通過する原稿に光をあてる光源と
該光源からの光の反射光を受光する受光部と
該光源からの光を該受光部に向け反射するような角度分傾斜して配置され、該原稿で反射されるよりも多くの光量を該原稿がない際に該受光部に反射する反射部と
該受光部の光量が、反射部からの光量より変化した際に原稿の端と判別する判別部と
を備えた読取装置。
【請求項２】
該反射部と連続して搬送路を形成し、該反射部と段差があるガイドと
を備えた請求項１に記載の読取装置。
【請求項３】
該判別部が該受光部の光量が、反射部からの光量へと変化した際も原稿の端と判別する請求項１または２に記載の読取装置。
【手続補正２】
【補正対象書類名】明細書
【補正対象項目名】０００７
【補正方法】変更
【補正の内容】
【０００７】
前記技術的課題を解決するために、請求項１に記載の発明の読取装置は、読取位置を通過する原稿に光をあてる光源と、該光源からの光の反射光を受光する受光部と、該光源からの光を該受光部に向け反射するような角度分傾斜して配置され、該原稿で反射されるよりも多くの光量を該原稿がない際に該受光部に反射する反射部と、該受光部の光量が、反射部からの光量より変化した際に原稿の端と判別する判別部とを備えたことを特徴とする。
【手続補正３】
【補正対象書類名】明細書
【補正対象項目名】０００８
【補正方法】変更
【補正の内容】
【０００８】
請求項２に記載の発明は、請求項１に記載の読取装置において、該反射部と連続して搬送路を形成し、該反射部と段差があるガイド、を備えたことを特徴とする。
【手続補正４】
【補正対象書類名】明細書
【補正対象項目名】０００９
【補正方法】変更
【補正の内容】
【０００９】
前記技術的課題を解決するために、請求項３に記載の発明は、請求項１または請求項２に記載の読取装置において、該受光部の光量が、反射部からの光量へと変化した際に原稿の端と判別する判別部とを備えたことを特徴とする。
【手続補正５】
【補正対象書類名】明細書
【補正対象項目名】００１０
【補正方法】変更
【補正の内容】
【００１０】
請求項1、３に記載の発明によれば、反射部を有しない構成に比べて、読取位置を通過する原稿の端を精度よく判別することができる。
請求項２に記載の発明によれば、ガイドを有しない構成に比べて、読取位置を通過する原稿の搬送路が広くなりすぎることを防止できる。
【手続補正書】
【提出日】平成25年7月31日(2013.7.31)
【手続補正１】
【補正対象書類名】明細書
【補正対象項目名】発明の名称
【補正方法】変更
【補正の内容】
【発明の名称】音情報出力装置、画像再生装置、画像記録装置及び音情報出力方法
【手続補正２】
【補正対象書類名】明細書
【補正対象項目名】０００１
【補正方法】変更
【補正の内容】
【０００１】
本発明は、記録された画像に音情報を付加する音情報出力装置、画像再生装置、画像記録装置及び音情報出力方法に関する。
【手続補正３】
【補正対象書類名】明細書
【補正対象項目名】０００６
【補正方法】変更
【補正の内容】
【０００６】
本発明は、直感的で且つ迅速に画像を検索することができる音情報出力装置、画像再生装置、画像記録装置及び音情報出力方法を提供することを目的とする。  
また、画像を音声に変換して、視覚以外の五感の刺激をも可能にするので、機器の利用を促進できる。
【手続補正４】
【補正対象書類名】明細書
【補正対象項目名】０００７
【補正方法】変更
【補正の内容】
【０００７】
本発明に係る音情報出力装置は、画像中の被写体についての特徴を求めることで上記被写体を検出する被写体特徴検出部と、検出された上記被写体に対して音情報を割当てる音情報割当て部と、上記被写体を含む画像に対応させて、上記音情報割当て部が割当てた上記音情報を出力する出力制御部とを具備し、
本発明に係る画像再生装置は、画像中の被写体についての特徴を求めることで上記被写体を検出する被写体特徴検出部と、検出された上記被写体に対して音情報を割当てる音情報割当て部と、上記被写体を含む画像に対応させて、上記音情報割当て部が割当てた上記音情報を出力する出力制御部と上記被写体を含む画像の表示に対応させて、上記出力制御部が出力した上記音情報に基づく音響を出力する音響出力部を具備し、
本発明に係る画像記録装置は、画像中の被写体についての特徴を求めることで上記被写体を検出する被写体特徴検出部と、検出された上記被写体に対して音情報を割当てる音情報割当て部と、上記被写体を含む画像に対応させて、上記音情報割当て部が割当てた上記音情報を出力する出力制御部と上記出力制御部が出力した上記音情報を対応する画像と共に記録する記録制御部とを具備し、
本発に係る音情報出力方法は、被写体特徴検出部が、画像中の被写体についての特徴を求めることで上記被写体を検出するステップと、音情報割当て部が、検出された上記被写体に対して音情報を割当てるステップと、出力制御部が、上記被写体を含む画像に対応させて、上記音情報割当て部が割当てた上記音情報を出力するステップとを具備する。
【手続補正５】
【補正対象書類名】特許請求の範囲
【補正対象項目名】全文
【補正方法】変更
【補正の内容】
【特許請求の範囲】
【請求項１】
画像中の被写体についての特徴を求めることで上記被写体を検出する被写体特徴検出部と、
検出された上記被写体に対して音情報を割当てる音情報割当て部と、
上記被写体を含む画像に対応させて、上記音情報割当て部が割当てた上記音情報を出力する出力制御部と
を具備したことを特徴とする音情報出力装置。
【請求項２】
上記音情報が記録された音情報記録部を有し、
上記音情報割当て部は、上記音情報記録部に記録されている上記音情報を上記被写体に対して割当てる
ことを特徴とする音情報出力装置。
【請求項３】
上記音情報として楽音が用いられる
ことを特徴とする請求項１又は２に記載の音情報出力装置。
【請求項４】
画像中の被写体についての特徴を求めることで上記被写体を検出する被写体特徴検出部と、
検出された上記被写体に対して音情報を割当てる音情報割当て部と、
上記被写体を含む画像に対応させて、上記音情報割当て部が割当てた上記音情報を出力する出力制御部と
上記被写体を含む画像の表示に対応させて、上記出力制御部が出力した上記音情報に基づく音響を出力する音響出力部
を具備したことを特徴とする画像再生装置。
【請求項５】
画像中の被写体についての特徴を求めることで上記被写体を検出する被写体特徴検出部と、
検出された上記被写体に対して音情報を割当てる音情報割当て部と、
上記被写体を含む画像に対応させて、上記音情報割当て部が割当てた上記音情報を出力する出力制御部と
上記出力制御部が出力した上記音情報を対応する画像と共に記録する記録制御部と
を具備したことを特徴とする画像記録装置。
【請求項６】
被写体特徴検出部が、画像中の被写体についての特徴を求めることで上記被写体を検出するステップと、
音情報割当て部が、検出された上記被写体に対して音情報を割当てるステップと、
出力制御部が、上記被写体を含む画像に対応させて、上記音情報割当て部が割当てた上記音情報を出力するステップと
を具備したことを特徴とする音情報出力方法。
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
加熱によってゾル化するゲル中に金微粒子を分散させてなり、前記金微粒子が保護剤により保護されている細胞培養用基材。
【請求項２】
前記ゲルが、ゼラチンゲルである、請求項１に記載の細胞培養用基材。
【請求項３】
前記保護剤が、ゼラチンに親和性を有する物質である、請求項２に記載の細胞培養用基材。
【請求項４】
前記ゼラチンに親和性を有する物質が、コラーゲンペプチドまたはポリエチレングリコールである、請求項３に記載の細胞培養用基材。
【請求項５】
前記金微粒子が、保護剤で表面を修飾されたデンドリマーに内包されている、請求項１〜４のいずれか１項に記載の細胞培養用基材。
【請求項６】
請求項１〜５のいずれか１項に記載の細胞培養用基材を用いて培養されている細胞から、興味対象の細胞を見出す工程と、
前記細胞培養用基材に光を照射して、照射範囲内の基材をゾル化する工程と、
前記範囲内の基材から分離した細胞を回収する工程と
を含む、興味対象の細胞を取得する方法。
【手続補正２】
【補正対象書類名】明細書
【補正対象項目名】００１１
【補正方法】変更
【補正の内容】
【００１１】
すなわち、本発明は、加熱によってゾル化するゲル中に金微粒子を分散させてなり、該金微粒子の表面が保護剤により保護されている、細胞培養用基材を提供する。
【手続補正書】
【提出日】平成25年3月14日(2013.3.14)
【手続補正１】
【補正対象書類名】明細書
【補正対象項目名】０００８
【補正方法】変更
【補正の内容】
【０００８】
本発明に係る装置は、耐性の強い領域と耐性の弱い領域とを含む二次元コードを復号化することで、当該二次元コードに含まれる情報を得る復号化手段と、前記復号化手段で得られた前記二次元コードに含まれる情報の少なくとも一部を符号化することで、当該情報の少なくとも一部を含む二次元コードを得る符号化手段と、を備え、前記復号化手段は、前記耐性の強い領域を復号化した後、前記耐性の弱い領域を復号化することを特徴とする。
【手続補正２】
【補正対象書類名】特許請求の範囲
【補正対象項目名】全文
【補正方法】変更
【補正の内容】
【特許請求の範囲】
【請求項１】
耐性の強い領域と耐性の弱い領域とを含む二次元コードを復号化することで、当該二次元コードに含まれる情報を得る復号化手段と、
前記復号化手段で得られた前記二次元コードに含まれる情報の少なくとも一部を符号化することで、当該情報の少なくとも一部を含む二次元コードを得る符号化手段と、
を備え、
前記復号化手段は、前記耐性の強い領域を復号化した後、前記耐性の弱い領域を復号化する
ことを特徴とする装置。
【請求項２】
耐性の強い領域と耐性の弱い領域とを含む二次元コードを復号化することで、当該二次元コードに含まれる情報を得る復号化手段と、
前記復号化手段で得られた前記二次元コードに含まれる情報の少なくとも一部を符号化することで、当該情報の少なくとも一部を含む二次元コードを得る符号化手段と、
を備え、
前記復号化手段における前記耐性の弱い領域の復号化は、前記耐性の強い領域の復号化の終了後に終了する
ことを特徴とする装置。
【請求項３】
スキャン画像における耐性の強い領域と耐性の弱い領域とを含む二次元コードを復号化することで、当該二次元コードに含まれる情報を得る復号化手段と、
前記復号化手段で得られた前記二次元コードに含まれる情報の少なくとも一部を符号化することで、当該情報の少なくとも一部を含む二次元コードを得る符号化手段と、
前記符号化手段で得られた二次元コードと前記スキャン画像とを合成する合成手段と、
前記合成手段で得られた画像を印刷する印刷手段と、
を備え、
前記復号化手段における前記耐性の弱い領域の復号化は、前記耐性の強い領域の復号化の終了後に終了する
ことを特徴とする装置。
【請求項４】
前記合成手段で得られる前記画像は、前記スキャン画像に含まれていた前記二次元コードを含まないことを特徴とする請求項３に記載の装置。
【請求項５】
前記復号化手段は、前記耐性の強い領域の復号化に失敗した場合に、前記耐性の弱い領域の復号化をしないことを特徴とする請求項１乃至３の何れか１項に記載の装置。
【請求項６】
耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
を含み、
前記復号化ステップは、前記耐性の強い領域を復号化した後、前記耐性の弱い領域を復号化する
ことを特徴とする方法。
【請求項７】
耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
を含み、
前記複合化ステップにおける前記耐性の弱い領域の復号化は、前記耐性の強い領域の復号化の終了後に終了する
ことを特徴とする方法。
【請求項８】
スキャン画像における耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
前記符号化ステップで得られた二次元コードと前記スキャン画像とを合成する合成ステップと、
前記合成ステップで得られた画像を印刷する印刷ステップと、
を含み、
前記復号化ステップにおける前記耐性の弱い領域の復号化は、前記耐性の強い領域の復号化の終了後に終了する
ことを特徴とする方法。
【請求項９】
前記合成ステップで得られる前記画像は、前記スキャン画像に含まれていた前記二次元コードを含まないことを特徴とする請求項８に記載の方法。
【請求項１０】
前記復号化ステップでは、前記耐性の強い領域の復号化に失敗した場合に、前記耐性の弱い領域の復号化をしないことを特徴とする請求項６乃至８の何れか１項に記載の方法。
【請求項１１】
耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
を含み、
前記復号化ステップは、前記耐性の強い領域を復号化した後、前記耐性の弱い領域を復号化する
ことを特徴とする方法をコンピュータに実行させるためのプログラム。
【請求項１２】
耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
を含み、
前記複合化ステップにおける前記耐性の弱い領域の復号化は、前記耐性の強い領域の復号化の終了後に終了する
ことを特徴とする方法をコンピュータに実行させるためのプログラム。
【請求項１３】
スキャン画像における耐性の強い領域と耐性の弱い領域とを含む二次元コードを復号化することで、当該二次元コードに含まれる情報を得る復号化ステップと、
前記復号化ステップで得られた前記二次元コードに含まれる情報の少なくとも一部を符号化することで、当該情報の少なくとも一部を含む二次元コードを得る符号化ステップと、
前記符号化ステップで得られた二次元コードと前記スキャン画像とを合成する合成ステップと、
前記合成ステップで得られた画像を印刷する印刷ステップと、
を含み、
前記復号化ステップにおける前記耐性の弱い領域の復号化は、前記耐性の強い領域の復号化の終了後に終了する
ことを特徴とする方法をコンピュータに実行させるためのプログラム。
【請求項１４】
前記合成ステップで得られる前記画像は、前記スキャン画像に含まれていた前記二次元コードを含まないことを特徴とする請求項１３に記載のプログラム。
【請求項１５】
前記復号化ステップでは、前記耐性の強い領域の復号化に失敗した場合に、前記耐性の弱い領域の復号化をしないことを特徴とする請求項１１乃至１３の何れか１項に記載のプログラム。
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
撮像手段が撮像した画像を取り込む取込手段と、
前記画像に含まれるコード情報を読み取る第１の読取処理を行う第１の読取手段と、
前記画像の特徴量を読み取る第２の読取処理を行う第２の読取手段と、
前記第１の読取手段が所定の時間内に前記コード情報を読み取れない場合には、前記第１の読取処理から前記第２の読取処理に切り替える切替手段と、
を備える情報処理装置。
【請求項２】
前記第１の読取手段は、所定のフレーム数の前記画像に対して前記第１の読取処理を行い、
前記切替手段は、前記所定のフレーム数の前記画像に対して前記コード情報が読み取れない場合に、前記第１の読取処理から前記第２の読取処理に切り替える、
請求項１に記載の情報処理装置。
【請求項３】
前記切替手段は、前記第２の読取手段が所定の時間内に前記画像の特徴量を読み取れない場合には、当該第２の読取処理から前記第１の読取処理に切り替える、
請求項１又は２に記載の情報処理装置。
【請求項４】
情報処理装置を制御するコンピュータを、
撮像手段が撮像した画像を取り込む取込手段と、
前記画像に含まれるコード情報を読み取る第１の読取処理を行う第１の読取手段と、
前記画像の特徴量を読み取る第２の読取処理を行う第２の読取手段と、
前記第１の読取手段が所定の時間内に前記コード情報を読み取れない場合には、前記第１の読取処理から前記第２の読取処理に切り替える切替手段と、
して機能させるためのプログラム。
【請求項５】
前記第１の読取手段は、所定のフレーム数の前記画像に対して前記第１の読取処理を行い、
前記切替手段は、前記所定のフレーム数の前記画像に対して前記コード情報が読み取れない場合に、前記第１の読取処理から前記第２の読取処理に切り替える、
請求項４に記載のプログラム。
【請求項６】
前記切替手段は、前記第２の読取手段が所定の時間内に前記画像の特徴量を読み取れない場合には、当該第２の読取処理から前記第１の読取処理に切り替える、
請求項４又は５に記載のプログラム。
【手続補正２】
【補正対象書類名】明細書
【補正対象項目名】０００４
【補正方法】変更
【補正の内容】
【０００４】
実施形態の情報処理装置は、取込手段と、第１の読取手段と、第２の読取手段と、切替手段とを備える。取込手段は、撮像手段が撮像した画像を取り込む。第１の読取手段は、前記画像に含まれるコード情報を読み取る第１の読取処理を行う。第２の読取手段は、前記画像の特徴量を読み取る第２の読取処理を行う。切替手段は、前記第１の読取手段が所定の時間内に前記コード情報を読み取れない場合には、前記第１の読取処理から前記第２の読取処理に切り替える。
【手続補正３】
【補正対象書類名】明細書
【補正対象項目名】０００５
【補正方法】変更
【補正の内容】
【０００５】
また、実施形態のプログラムは、情報処理装置を制御するコンピュータを、取込手段と、第１の読取手段と、第２の読取手段と、切替手段として機能させる。取込手段は、撮像手段が撮像した画像を取り込む。第１の読取手段は、前記画像に含まれるコード情報を読み取る第１の読取処理を行う。第２の読取手段は、前記画像の特徴量を読み取る第２の読取処理を行う。切替手段は、前記第１の読取手段が所定の時間内に前記コード情報を読み取れない場合には、前記第１の読取処理から前記第２の読取処理に切り替える。
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
画像表示部材と、周縁部に遮光層が形成された光透過性カバー部材とが、液状の光硬化性樹脂組成物から形成された光透過性硬化樹脂層を介し、光透過性カバー部材の遮光層形成面が画像表示部材側に配置されるように積層された画像表示装置の製造方法において、
以下の工程（Ａ）〜（Ｄ）：
＜工程（Ａ）＞
液状の光硬化性樹脂組成物を、画像表示部材の表面に、遮光層と光透過性カバー部材の
遮光層形成側表面とで形成される段差がキャンセルされるように、遮光層の厚さより厚く塗布する工程；
＜工程（Ｂ）＞
塗布された光硬化性樹脂組成物に対し紫外線を照射射し仮硬化させることにより仮硬化樹脂層を形成する工程；
＜工程（Ｃ）＞
画像表示部材に、遮光層と仮硬化樹脂層とが内側になるように光透過性カバー部材を貼り合わせる工程；
＜工程（Ｄ）＞
画像表示部材と光透過性カバー部材との間に挟持されている仮硬化樹脂層に対し紫外線を照射してその硬化率が９０％以上となるように本硬化させることにより、画像表示部材と光透過性カバー部材とを光透過性硬化樹脂層を介して積層して画像表示装置を得る工程
を有する製造方法。
【請求項２】
画像表示部材と、周縁部に遮光層が形成された光透過性カバー部材とが、液状の光硬化性樹脂組成物から形成された光透過性硬化樹脂層を介し、光透過性カバー部材の遮光層形成面が画像表示部材側に配置されるように積層された画像表示装置の製造方法において、
以下の工程（Ａ）〜（Ｄ）：
＜工程（Ａ）＞
光ラジカル重合性ポリ（メタ）アクリレートと光ラジカル重合開始剤と粘着性付与剤とを含有する液状の光硬化性樹脂組成物を、光透過性カバー部材の遮光層形成側表面又は画像表示部材の表面に、遮光層と光透過性カバー部材の遮光層形成側表面とで形成される段差がキャンセルされるように、遮光層の厚さより厚く塗布する工程；
＜工程（Ｂ）＞
塗布された光硬化性樹脂組成物に対し紫外線を照射し仮硬化させることにより仮硬化樹脂層を形成する工程；
＜工程（Ｃ）＞
画像表示部材に、遮光層と仮硬化樹脂層とが内側になるように光透過性カバー部材を貼り合わせる工程；
＜工程（Ｄ）＞
画像表示部材と光透過性カバー部材との間に挟持されている仮硬化樹脂層に対し紫外線を照射してその硬化率が９０％以上となるように本硬化させることにより、画像表示部材と光透過性カバー部材とを光透過性硬化樹脂層を介して積層して画像表示装置を得る工程
を有する製造方法。
【請求項３】
画像表示部材が、液晶表示パネル、有機ＥＬ表示パネル、プラズマ表示パネル又はタッチパネルである請求項１又は２記載の製造方法。
【請求項４】
工程（Ａ）において、光硬化性樹脂組成物を、遮光層の厚さの１．２〜５０倍の厚さで塗布する請求項１〜３のいずれかに記載の製造方法。
【手続補正書】
【提出日】平成25年1月9日(2013.1.9)
【手続補正１】
【補正対象書類名】明細書
【補正対象項目名】００１８
【補正方法】変更
【補正の内容】
【００１８】
本発明の画像形成装置は、シートに座屈を生じさせることを少なくして、シートを処理するシート処理装置を備えているので、座屈によって使用することができなくなったシートの分を再度画像形成することが少なくなり、画像形成効率を高めることができる。
【手続補正２】
【補正対象書類名】明細書
【補正対象項目名】００１９
【補正方法】変更
【補正の内容】
【００１９】
【図１】本発明の実施形態におけるシート処理装置としてのフィニッシャのシート搬送方向に沿った断面図である。
【図２】本発明の実施形態における画像形成装置のシート搬送方向に沿った断面図である。
【図３】上位送りローラと下位送りローラとの斜視図である。
【図４】端部ストッパの斜視図である。
【図５】画像形成装置の制御部のブロック図である。
【図６】中綴じ製本部の動作を示すフローチャートである。
【図７】端部ストッパが上位送りローラの近くでシートを受け止める場合の図である。
【図８】端部ストッパが下位送りローラの近くでシートを受け止める場合の図である。
【図９】端部ストッパがシート束の下端を挟持して昇降する場合の図である。
【図１０】シート束の中央部がステープラの位置にいるときの図である。
【図１１】シート束の綴じられた部分を突き出し部材に対向させた図である。
【図１２】シート束が折り畳まれ始められた図である。
【図１３】上位送りローラと下位送りローラとの搬送動作を説明する図であって、上位送りローラにシートが送り込まれる前の図である。
【図１４】図１３の状態に続いて、上位送りローラにシートが送り込まれた図である。
【図１５】図１４の状態に続いて、下位送りローラにシートが送り込まれた図である。
【図１６】図１５の状態に続いて、シートの下流端が端部ストッパに到達する前に、上位送りローラがシートから離れた図である。
【図１７】上位送りローラが、ワンウェイクラッチギアにより、シートの下流側への搬送に追従回転している状態の図である。
【図１８】従来のシート処理装置のシート搬送方向に沿った断面図である。
【図１９】図１８のシート処理装置において、シートに撓みが生じた状態の図である。
【手続補正３】
【補正対象書類名】明細書
【補正対象項目名】００２２
【補正方法】変更
【補正の内容】
【００２２】
画像形成装置は、複写機であるが、これに限定されるものではなく、例えばスキャナ、プリンタ、ファクシミリ装置等の他の画像形成装置や、或いはこれらの機能を組み合わせた複合機等の他の画像形成装置であってもよい。プリンタ部３００は、画像形成装置の装置本体でもある。折り処理部４００とインサータ９００は、オプションとして装備されている。また、フィニッシャ５００は、プリンタ部３００内に一体に組み込まれていてもよい。
【手続補正４】
【補正対象書類名】明細書
【補正対象項目名】００３７
【補正方法】変更
【補正の内容】
【００３７】
図１に示すように、フィニッシャ５００は、折り処理部４００を介して搬送されてきたシートを装置内部に取り込むための搬送パス５２０を有している。搬送パス５２０には、入口ローラ対５１５からシート搬送方向の下流側に向けて順番に搬送ローラ対５０２乃至５０８が設けられている。
【手続補正５】
【補正対象書類名】明細書
【補正対象項目名】００５１
【補正方法】変更
【補正の内容】
【００５１】
すなわち、当接部材としての端部ストッパ８０５の上部受け取り位置（第２の位置）は、図１に示す実線で示す位置であり、隣接する上位送りローラ８０６により、シートが座屈しないように、予め設定された距離だけ下流の受け取り位置である。また、端部ストッパ８０５の下部受け取り位置（第２の位置）は、図１に示す破線で示す位置であり、隣接する下位送りローラ８０７により、上記予め設定された距離と同じ距離だけ下流の受け取り位置である。
【手続補正６】
【補正対象書類名】明細書
【補正対象項目名】００７１
【補正方法】変更
【補正の内容】
【００７１】
ユーザにより、中綴じ製本モードが設定されると、画像が形成されたシートＰが、順次、プリンタ部３００の排出ローラ１１８（図２）から排出される。シートＰは、折り処理部４００を通過し、入口ローラ対５１５（図１）に受け渡された後、搬送パス５２０を通過して、下排出パス５２２に進入する。その後、シートＰは、下排出パス５２２の途中の切替部材５１４によりサドル排出パス５２３に導かれる。
【手続補正７】
【補正対象書類名】明細書
【補正対象項目名】００７５
【補正方法】変更
【補正の内容】
【００７５】
一方、図８は下部受け取り位置が選択された状態を示す図である。サドル排出パス５２３（図１）に導かれたシートＰは、シートサイズに応じた切替部材８０２にガイドされながら収納ガイド８０３に排出される。そして、シートＰは、滑りローラ８０４、下位送りローラ８０７の搬送力も受けながら、下部受け取り位置で停止している端部ストッパ８０５の規制面８０５ａ（図４，８参照）に突き当てられて停止する。下部受け取り位置にある端部ストッパ８０５と下位送りローラ８０７との間の距離は、シートの搬送方向中央部をステープラ８２０に対向させることができる第１の位置にある端部ストッパ８０５とシートを搬送する下位送りローラ８０７との間の距離よりも短い。
【手続補正８】
【補正対象書類名】明細書
【補正対象項目名】００７８
【補正方法】変更
【補正の内容】
【００７８】
送りローラ８０６（又は８０７）は、シートＰの搬送方向下流端を端部ストッパ８０５の規制面８０５ａに当接させた後、シートに送りローラの搬送力を与えるが、シートを座屈させることなく滑りながら回転する。このため、シートは、その下流端が端部ストッパ８０５に突き当てられて、搬送方向の整合がなされて積載される。
【手続補正９】
【補正対象書類名】明細書
【補正対象項目名】００８５
【補正方法】変更
【補正の内容】
【００８５】
針綴じされたシート束Ｐは、その後、図１１に示すように、保持部材８０８で束保持がされた状態で端部ストッパ８０５の移動により、折り位置に向けて下方（矢印Ｄ方向）に移動させられる（Ｓ１１２でＮＯ、Ｓ１１３）。そして、端部ストッパ８０５は、シート束Ｐの中央部（針綴じ部）が折りローラ対８１０のニップに対向する折り位置で下降を停止する（Ｓ１１２でＹＥＳ）。この間、シート束は、保持部材８０８とガイド面８０５ｂとに挟持されるので、撓んだり、座屈したりすることが防止される。その後、端部ストッパ８０５の保持部材８０８はシート束Ｐの挟持（把持）を解放する（Ｓ１１４）。
【手続補正１０】
【補正対象書類名】図面
【補正対象項目名】図１
【補正方法】変更
【補正の内容】
【図１】
2010195587.tif 000001